(57)【特許請求の範囲】
【請求項１】
第1のミッションクリティカルプッシュトゥトーク（MCPTT）ユーザ機器（UE）に適用される、発見方法であって、
発見メッセージを送信するステップであって、前記発見メッセージは、発見ターゲットのアプリケーションレイヤ識別子情報を含み、前記発見ターゲットは、前記第1のMCPTT UEを使用する第1のユーザの少なくとも1人のターゲットユーザである、ステップと、
第2のMCPTT UEから応答メッセージを受信するステップであって、前記応答メッセージは、前記第2のMCPTT UEのレイヤ2識別子および前記少なくとも1人のターゲットユーザの任意のターゲットユーザのアプリケーションレイヤ識別子を含む、ステップと、
を含み、
前記第2のMCPTT UEは、前記任意のターゲットユーザが現在使用するMCPTT UEである、発見方法。
【請求項２】
前記発見メッセージは、前記第1のMCPTT UEの制御プレーンシグナリングメッセージである、請求項1に記載の発見方法。
【請求項３】
前記発見ターゲットの前記アプリケーションレイヤ識別子情報は、暗号化情報であり、前記発見メッセージは、セキュリティパラメータをさらに含み、前記セキュリティパラメータは、前記第2のMCPTT UEが前記発見メッセージにおける前記発見ターゲットのアプリケーションレイヤ識別子を取得するために使用される、請求項1または2に記載の発見方法。
【請求項４】
前記発見ターゲットが前記少なくとも1人のターゲットユーザであり、かつ前記少なくとも1人のターゲットユーザのターゲットユーザおよび前記第1のユーザが第1の通信グループにある場合、発見メッセージを送信する前記ステップは、
前記第1の通信グループのグループレイヤ2アドレスを取得するステップと、
前記グループレイヤ2アドレスへ前記発見メッセージを送信するステップと、
を含む、請求項1から3のいずれか一項に記載の発見方法。
【請求項５】
第1のミッションクリティカルプッシュトゥトーク（MCPTT）ユーザ機器（UE）の装置であって、
発見メッセージを送信するように構成された送信ユニットであって、前記発見メッセージは、発見ターゲットのアプリケーションレイヤ識別子情報を含み、前記発見ターゲットは、前記第1のMCPTT UEを使用する第1のユーザの少なくとも1人のターゲットユーザである、送信ユニットと、
第2のMCPTT UEから応答メッセージを受信するように構成された受信ユニットであって、前記応答メッセージは、前記第2のMCPTT UEのレイヤ2識別子および前記少なくとも1人のターゲットユーザの任意のターゲットユーザのアプリケーションレイヤ識別子を含む、受信ユニットと、
を備え、
前記第2のMCPTT UEは、前記任意のターゲットユーザが現在使用するMCPTT UEである、装置。
【請求項６】
前記発見メッセージは、前記第1のMCPTT UEの制御プレーンシグナリングメッセージである、請求項5に記載の装置。
【請求項７】
前記発見ターゲットの前記アプリケーションレイヤ識別子情報は、暗号化情報であり、前記発見メッセージは、セキュリティパラメータをさらに含み、前記セキュリティパラメータは、前記第2のMCPTT UEが前記発見メッセージにおける前記発見ターゲットのアプリケーションレイヤ識別子を取得するために使用される、請求項5または6に記載の装置。
【請求項８】
請求項1から4のいずれか一項に記載の発見方法をコンピュータに実行させるプログラムを記録したコンピュータ読み取り可能な記録媒体。
【発明の詳細な説明】
【技術分野】
【０００１】
本発明は、無線通信技術の分野に関し、詳細には、発見方法および装置に関する。
【背景技術】
【０００２】
ミッションクリティカルプッシュトゥトーク（Mission Critical Push To Talk、略称MCPTT）システムは、ダイレクトモードオペレーション（Direct Mode Operation、略称DMO）シナリオをサポートできる。例えば、TS22.179では、MCPTTは、2つのDMOシナリオ、すなわち、1対1（one-to-one）通信およびプライベート通話（private call）をサポートできると定義している。MCPTTシステムでは、同一ユーザが、複数の通信グループ（group）に属することができるだけでなく、異なるMCPTTユーザ機器（User Equipment、略称UE）を使用して、MCPTTサービスを取得できる。例えば、図1に示すMCPTTシステムでは、user 1は、通信グループ1および通信グループ2に属し、かつuser 1は、MCPTT UE 1、MCPTT UE 2、およびMCPTT UE 3を使用して、MCPTTサービスを取得できる。
【０００３】
MCPTTシステムでは、ユーザは、異なるMCPTT UEを使用して、MCPTTサービスを取得できる。したがって、正常な通信を確保するために、DMOシナリオにおける2つの通信当事者は、互いを正確に識別するために、アプリケーションレイヤ識別子、つまり、互いのユーザ識別子（user ID）を知る必要があるだけでなく、レイヤ2識別子（layer 2 ID）、つまり、互いが現在使用するMCPTT UEの装置識別子をも知る必要があり、次いで、近接度に基づくサービス（Proximity-based Services、略称Prose）方式でサービス通信を行う。
【０００４】
しかしながら、従来技術では、ソースユーザが、少なくとも1人のターゲットユーザを発見する必要がある場合、ソースユーザは、以下の発見方法を一般的に使用して、ターゲットユーザを発見する：ソースユーザは、ユーザが現在使用するMCPTT UEのレイヤ2識別子を含む発見メッセージを少なくとも1人のターゲットユーザへ送信し、発見メッセージを受信した後、ターゲットユーザは、ターゲットユーザが現在使用しているMCPTT UEのレイヤ2識別子を含む応答メッセージをユーザへ返す。ソースユーザは、ターゲットユーザが返した応答メッセージではターゲットユーザを識別できず、したがって、ソースユーザは、ターゲットユーザとProse方式でサービス通信を行うことができない。
【発明の概要】
【課題を解決するための手段】
【０００５】
ソースユーザは、ターゲットユーザが返した応答メッセージではターゲットユーザを識別できず、したがって、ソースユーザは、ターゲットユーザとProse方式でサービス通信を行うことができない、という既存の課題を解決するために、本発明の各実施形態は、発見方法および装置を提供する。
【０００６】
上記の目的を達成するために、本発明の実施形態において、以下の技術的な解決策が採用される。
【０００７】
第1の実施態様によれば、本発明の一実施形態は、第1のミッションクリティカルプッシュトゥトーク（MCPTT）ユーザ機器（UE）に適用される、発見方法を提供し、本方法は、
発見メッセージを送信するステップであって、発見メッセージは、発見ターゲットのアプリケーションレイヤ識別子情報を含み、発見ターゲットは、第1のMCPTT UEを使用する第1のユーザの少なくとも1人のターゲットユーザまたは少なくとも1つの通信グループである、ステップと、
第2のMCPTT UEが送信した応答メッセージを受信するステップであって、応答メッセージは、第2のMCPTT UEのレイヤ2識別子および第2のMCPTT UEを使用するユーザのアプリケーションレイヤ識別子を含む、ステップと、を含み、
発見ターゲットが少なくとも1人のターゲットユーザである場合、第2のMCPTT UEは、少なくとも1人のターゲットユーザの任意のターゲットユーザが現在使用するMCPTT UEであり、または発見ターゲットが少なくとも1つの通信グループである場合、第2のMCPTT UEは、少なくとも1つの通信グループのうちの任意の通信グループにおけるユーザが現在使用するMCPTT UEである。
【０００８】
第1の実施態様に関連して、第1の実施態様の第1の実装可能方式では、発見メッセージは、アプリケーションレイヤメッセージである。
【０００９】
第1の実施態様の第1の実装可能方式に関連して、第1の実施態様の第2の実装可能方式では、発見メッセージは、第1のMCPTT UEのユーザプレーンデータに含まれる。
【００１０】
第1の実施態様に関連して、第1の実施態様の第3の実装可能方式では、発見メッセージは、第1のMCPTT UEの制御プレーンシグナリングメッセージである。
【００１１】
第1の実施態様から第1の実施態様の第3の実装可能方式のいずれか1つに関連して、第1の実施態様の第4の実装可能方式では、発見ターゲットのアプリケーションレイヤ識別子情報は、暗号化情報であり、発見メッセージは、セキュリティパラメータをさらに含み、セキュリティパラメータは、第2のMCPTT UEが、セキュリティパラメータに従って対応するセキュリティ情報を判定した後に、発見メッセージにおける発見ターゲットのアプリケーションレイヤ識別子を取得し、応答メッセージを返すことを可能にするために使用される。
【００１２】
第1の実施態様から第1の実施態様の第4の実装可能方式のいずれか1つに関連して、第1の実施態様の第5の実装可能方式では、発見ターゲットが少なくとも1人のターゲットユーザであり、かつ少なくとも1人のターゲットユーザのターゲットユーザおよび第1のユーザが第1の通信グループにある場合、発見メッセージを送信するステップは、
第1の通信グループのグループレイヤ2アドレスを取得するステップと、
グループレイヤ2アドレスへ発見メッセージを送信し、その結果、第1のユーザを除く第1の通信グループにおけるすべてのユーザが発見メッセージを受信する、ステップと、を含む。
【００１３】
第1の実施態様から第1の実施態様の第4の実装可能方式のいずれか1つに関連して、第1の実施態様の第6の実装可能方式では、発見ターゲットが少なくとも1つの通信グループであり、かつ第1のユーザが少なくとも1つの通信グループの第2の通信グループにある場合、発見メッセージを送信するステップは、
第2の通信グループのグループレイヤ2アドレスを取得するステップと、
グループレイヤ2アドレスへ発見メッセージを送信し、その結果、第1のユーザを除く第2の通信グループにおけるすべてのユーザが発見メッセージを受信する、ステップと、を含む。
【００１４】
第1の実施態様から第1の実施態様の第6の実装可能方式のいずれか1つに関連して、第1の実施態様の第7の実装可能方式では、発見メッセージは、第1のMCPTT UEのレイヤ2識別子および第1のMCPTT UEを使用するユーザのアプリケーションレイヤ識別子をさらに含む。
【００１５】
第2の実施態様によれば、本発明の一実施形態は、ミッションクリティカルプッシュトゥトーク（MCPTT）ユーザ機器（UE）に適用される、発見方法を提供し、本方法は、
MCPTT UEを使用する第1のユーザのアプリケーションレイヤ識別子を取得するステップと、
発見メッセージを送信するステップであって、発見メッセージは、MCPTT UEを使用する第1のユーザのアプリケーションレイヤ識別子を含む、ステップと、を含む。
【００１６】
第2の実施態様に関連して、第2の実施態様の第1の実装可能方式では、発見メッセージは、アプリケーションレイヤメッセージである。
【００１７】
第2の実施態様の第1の実装可能方式に関連して、第2の実施態様の第2の実装可能方式では、発見メッセージは、MCPTT UEのユーザプレーンデータに含まれる。
【００１８】
第2の実施態様に関連して、第2の実施態様の第3の実装可能方式では、発見メッセージは、MCPTT UEの制御プレーンシグナリングメッセージである。
【００１９】
第2の実施態様から第2の実施態様の第3の実装可能方式のいずれか1つに関連して、第2の実施態様の第4の実装可能方式では、発見メッセージを送信するステップは、
第1のユーザが属する第1の通信グループのグループレイヤ2アドレスを取得するステップと、
グループレイヤ2アドレスへ発見メッセージを送信し、その結果、第1のユーザを除く第1の通信グループにおけるすべてのユーザが発見メッセージを受信する、ステップと、を含む。
【００２０】
第2の実施態様から第2の実施態様の第4の実装可能方式のいずれか1つに関連して、第2の実施態様の第5の実装可能方式では、
第1のユーザのアプリケーションレイヤ識別子は、暗号化され、発見メッセージは、セキュリティパラメータをさらに含み、セキュリティパラメータは、MCPTT UEを除く第1の通信グループにおける別のMCPTT UEが、セキュリティパラメータに従って対応するセキュリティ情報を判定した後に、発見メッセージにおけるMCPTT UEを使用する第1のユーザのアプリケーションレイヤ識別子を取得することを可能にするために使用される。
【００２１】
第2の実施態様から第2の実施態様の第5の実装可能方式のいずれか1つに関連して、第2の実施態様の第6の実装可能方式では、発見メッセージは、MCPTT UEのレイヤ2識別子をさらに含む。
【００２２】
第3の実施態様によれば、本発明の一実施形態は、第1のミッションクリティカルプッシュトゥトーク（MCPTT）ユーザ機器（UE）として使用される、MCPTT UEを提供し、本MCPTT UEは、
発見メッセージを送信するように構成された送信ユニットであって、発見メッセージは、発見ターゲットのアプリケーションレイヤ識別子情報を含み、発見ターゲットは、第1のMCPTT UEを使用する第1のユーザの少なくとも1人のターゲットユーザまたは少なくとも1つの通信グループである、送信ユニットと、
第2のMCPTT UEが送信した応答メッセージを受信するように構成された受信ユニットであって、応答メッセージは、第2のMCPTT UEのレイヤ2識別子および第2のMCPTT UEを使用するユーザのアプリケーションレイヤ識別子を含む、受信ユニットと、を備え、
発見ターゲットが少なくとも1人のターゲットユーザである場合、第2のMCPTT UEは、少なくとも1人のターゲットユーザの任意のターゲットユーザが現在使用するMCPTT UEであり、または発見ターゲットが少なくとも1つの通信グループである場合、第2のMCPTT UEは、少なくとも1つの通信グループのうちの任意の通信グループにおけるユーザが現在使用するMCPTT UEである。
【００２３】
第3の実施態様に関連して、第3の実施態様の第1の実装可能方式では、発見メッセージは、アプリケーションレイヤメッセージである。
【００２４】
第3の実施態様の第1の実装可能方式に関連して、第3の実施態様の第2の実装可能方式では、発見メッセージは、MCPTT UEのユーザプレーンデータに含まれる。
【００２５】
第3の実施態様に関連して、第3の実施態様の第3の実装可能方式では、発見メッセージは、MCPTT UEの制御プレーンシグナリングメッセージである。
【００２６】
第3の実施態様から第3の実施態様の第3の実装可能方式のいずれか1つに関連して、第3の実施態様の第4の実装可能方式では、発見ターゲットのアプリケーションレイヤ識別子情報は、暗号化情報であり、発見メッセージは、セキュリティパラメータをさらに含み、セキュリティパラメータは、第2のMCPTT UEが、セキュリティパラメータに従って対応するセキュリティ情報を判定した後に、発見メッセージにおける発見ターゲットのアプリケーションレイヤ識別子を取得し、応答メッセージを返すことを可能にするために使用される。
【００２７】
第3の実施態様から第3の実施態様の第4の実装可能方式のいずれか1つに関連して、第3の実施態様の第5の実装可能方式では、発見ターゲットが少なくとも1人のターゲットユーザであり、かつ少なくとも1人のターゲットユーザのターゲットユーザおよび第1のユーザが第1の通信グループにある場合、MCPTT UEは、
第1の通信グループのグループレイヤ2アドレスを取得するように構成された取得ユニットをさらに備え、
送信ユニットは、グループレイヤ2アドレスへ発見メッセージを送信し、その結果、第1のユーザを除く第1の通信グループにおけるすべてのユーザが発見メッセージを受信する、ように特に構成される。
【００２８】
第3の実施態様から第3の実施態様の第4の実装可能方式のいずれか1つに関連して、第3の実施態様の第6の実装可能方式では、発見ターゲットが少なくとも1つの通信グループであり、かつ第1のユーザが少なくとも1つの通信グループの第2の通信グループにある場合、MCPTT UEは、
第2の通信グループのグループレイヤ2アドレスを取得するように構成された取得ユニットをさらに備え、
送信ユニットは、グループレイヤ2アドレスへ発見メッセージを送信し、その結果、第1のユーザを除く第2の通信グループにおけるすべてのユーザが発見メッセージを受信する、ように特に構成される。
【００２９】
第3の実施態様から第3の実施態様の第6の実装可能方式のいずれか1つに関連して、第3の実施態様の第7の実装可能方式では、発見メッセージは、MCPTT UEのレイヤ2識別子およびMCPTT UEを使用するユーザのアプリケーションレイヤ識別子をさらに含む。
【００３０】
第4の実施態様によれば、本発明の一実施形態は、MCPTT UEを提供し、本MCPTT UEは、
MCPTT UEを使用する第1のユーザのアプリケーションレイヤ識別子を取得するように構成された取得ユニットと、
発見メッセージを送信するように構成された送信ユニットであって、発見メッセージは、MCPTT UEを使用する第1のユーザのアプリケーションレイヤ識別子を含む、送信ユニットと、を備える。
【００３１】
第4の実施態様に関連して、第4の実施態様の第1の実装可能方式では、発見メッセージは、アプリケーションレイヤメッセージである。
【００３２】
第4の実施態様の第1の実装可能方式に関連して、第4の実施態様の第2の実装可能方式では、発見メッセージは、MCPTT UEのユーザプレーンデータに含まれる。
【００３３】
第4の実施態様に関連して、第4の実施態様の第3の実装可能方式では、発見メッセージは、MCPTT UEの制御プレーンシグナリングメッセージである。
【００３４】
第4の実施態様から第4の実施態様の第3の実装可能方式のいずれか1つに関連して、第4の実施態様の第4の実装可能方式では、
取得ユニットは、第1のユーザが属する第1の通信グループのグループレイヤ2アドレスを取得するようにさらに構成され、
送信ユニットは、グループレイヤ2アドレスへ発見メッセージを送信し、その結果、第1のユーザを除く第1の通信グループにおけるすべてのユーザが発見メッセージを受信する、ように特に構成される。
【００３５】
第4の実施態様から第4の実施態様の第4の実装可能方式のいずれか1つに関連して、第4の実施態様の第5の実装可能方式では、第1のユーザのアプリケーションレイヤ識別子は、暗号化され、発見メッセージは、セキュリティパラメータをさらに含み、セキュリティパラメータは、MCPTT UEを除く第1の通信グループにおける別のMCPTT UEが、セキュリティパラメータに従って対応するセキュリティ情報を判定した後に、発見メッセージにおけるMCPTT UEを使用する第1のユーザのアプリケーションレイヤ識別子を取得することを可能にするために使用される。
【００３６】
第4の実施態様から第4の実施態様の第5の実装可能方式のいずれか1つに関連して、第4の実施態様の第6の実装可能方式では、発見メッセージは、MCPTT UEのレイヤ2識別子をさらに含む。
【００３７】
第5の実施態様によれば、本発明の一実施形態は、ミッションクリティカルプッシュトゥトーク（MCPTT）ユーザ機器（UE）を提供し、本MCPTT UEは、
通信ユニットであって、発見メッセージを送信するように構成され、発見メッセージは、発見ターゲットのアプリケーションレイヤ識別子情報を含み、発見ターゲットは、第1のMCPTT UEを使用する第1のユーザの少なくとも1人のターゲットユーザまたは少なくとも1つの通信グループであり、かつ
第2のMCPTT UEが送信した応答メッセージを受信するように構成され、応答メッセージは、第2のMCPTT UEのレイヤ2識別子および第2のMCPTT UEを使用するユーザのアプリケーションレイヤ識別子を含む、通信ユニットを備え、
発見ターゲットが少なくとも1人のターゲットユーザである場合、第2のMCPTT UEは、少なくとも1人のターゲットユーザの任意のターゲットユーザが現在使用するMCPTT UEであり、または発見ターゲットが少なくとも1つの通信グループである場合、第2のMCPTT UEは、少なくとも1つの通信グループのうちの任意の通信グループにおけるユーザが現在使用するMCPTT UEである。
【００３８】
第5の実施態様に関連して、第5の実施態様の第1の実装可能方式では、発見メッセージは、アプリケーションレイヤメッセージである。
【００３９】
第5の実施態様の第1の実装可能方式に関連して、第5の実施態様の第2の実装可能方式では、発見メッセージは、MCPTT UEのユーザプレーンデータに含まれる。
【００４０】
第5の実施態様に関連して、第5の実施態様の第3の実装可能方式では、発見メッセージは、MCPTT UEの制御プレーンシグナリングメッセージである。
【００４１】
第5の実施態様から第5の実施態様の第3の実装可能方式のいずれか1つに関連して、第5の実施態様の第4の実装可能方式では、発見ターゲットのアプリケーションレイヤ識別子情報は、暗号化情報であり、発見メッセージは、セキュリティパラメータをさらに含み、セキュリティパラメータは、第2のMCPTT UEが、セキュリティパラメータに従って対応するセキュリティ情報を判定した後に、発見メッセージにおける発見ターゲットのアプリケーションレイヤ識別子を取得し、応答メッセージを返すことを可能にするために使用される。
【００４２】
第5の実施態様から第5の実施態様の第4の実装可能方式のいずれか1つに関連して、第5の実施態様の第5の実装可能方式では、発見ターゲットが少なくとも1人のターゲットユーザであり、かつ少なくとも1人のターゲットユーザのターゲットユーザおよび第1のユーザが第1の通信グループにある場合、MCPTT UEは、
第1の通信グループのグループレイヤ2アドレスを取得するように構成されたプロセッサをさらに備え、
通信ユニットは、グループレイヤ2アドレスへ発見メッセージを送信し、その結果、第1のユーザを除く第1の通信グループにおけるすべてのユーザが発見メッセージを受信する、ように特に構成される。
【００４３】
第5の実施態様から第5の実施態様の第4の実装可能方式のいずれか1つに関連して、第5の実施態様の第6の実装可能方式では、発見ターゲットが少なくとも1つの通信グループであり、かつ第1のユーザが少なくとも1つの通信グループの第2の通信グループにある場合、MCPTT UEは、
第2の通信グループのグループレイヤ2アドレスを取得するように構成された取得ユニットをさらに備え、
通信ユニットは、グループレイヤ2アドレスへ発見メッセージを送信し、その結果、第1のユーザを除く第2の通信グループにおけるすべてのユーザが発見メッセージを受信する、ように特に構成される。
【００４４】
第5の実施態様から第5の実施態様の第6の実装可能方式のいずれか1つに関連して、第5の実施態様の第7の実装可能方式では、発見メッセージは、MCPTT UEのレイヤ2識別子およびMCPTT UEを使用するユーザのアプリケーションレイヤ識別子をさらに含む。
【００４５】
第6の実施態様によれば、本発明の一実施形態は、MCPTT UEを提供し、本MCPTT UEは、
MCPTT UEを使用する第1のユーザのアプリケーションレイヤ識別子を取得するように構成されたプロセッサと、
発見メッセージを送信するように構成された通信ユニットであって、発見メッセージは、MCPTT UEを使用する第1のユーザのアプリケーションレイヤ識別子を含む、通信ユニットと、を備える。
【００４６】
第6の実施態様に関連して、第6の実施態様の第1の実装可能方式では、発見メッセージは、アプリケーションレイヤメッセージである。
【００４７】
第6の実施態様の第1の実装可能方式に関連して、第6の実施態様の第2の実装可能方式では、発見メッセージは、MCPTT UEのユーザプレーンデータに含まれる。
【００４８】
第6の実施態様に関連して、第6の実施態様の第3の実装可能方式では、発見メッセージは、MCPTT UEの制御プレーンシグナリングメッセージである。
【００４９】
第6の実施態様から第6の実施態様の第3の実装可能方式のいずれか1つに関連して、第6の実施態様の第4の実装可能方式では、
プロセッサは、第1のユーザが属する第1の通信グループのグループレイヤ2アドレスを取得するようにさらに構成され、
通信ユニットは、グループレイヤ2アドレスへ発見メッセージを送信し、その結果、第1のユーザを除く第1の通信グループにおけるすべてのユーザが発見メッセージを受信する、ように特に構成される。
【００５０】
第6の実施態様から第6の実施態様の第4の実装可能方式のいずれか1つに関連して、第6の実施態様の第5の実装可能方式では、第1のユーザのアプリケーションレイヤ識別子は、暗号化され、発見メッセージは、セキュリティパラメータをさらに含み、セキュリティパラメータは、MCPTT UEを除く第1の通信グループにおける別のMCPTT UEが、セキュリティパラメータに従って対応するセキュリティ情報を判定した後に、発見メッセージにおけるMCPTT UEを使用する第1のユーザのアプリケーションレイヤ識別子を取得することを可能にするために使用される。
【００５１】
第6の実施態様から第6の実施態様の第5の実装可能方式のいずれか1つに関連して、第6の実施態様の第6の実装可能方式では、発見メッセージは、MCPTT UEのレイヤ2識別子をさらに含む。
【００５２】
上記より、本発明の各実施形態が発見方法および装置を提供することがわかる。第1のMCPTT UEは、発見ターゲットの識別子情報を含む発見メッセージを送信し、少なくとも1つの第2のMCPTT UEが送信し、かつ、第2のMCPTT UEのレイヤ2識別子および第2のMCPTT UEを使用するユーザのアプリケーションレイヤ識別子を含む、応答メッセージを受信する。応答メッセージは、MCPTT UEのレイヤ2識別子およびMCPTT UEを使用するユーザのアプリケーションレイヤ識別子を含み、したがって、送信側は、ピア側で使用されるMCPTT UEのレイヤ2識別子を判定できるだけでなく、MCPTT UEを使用するユーザをさらに判定でき、次いで、ピア側を正確に識別でき、Prose方式でサービス通信を行うことができ、その結果、ソースユーザが、ターゲットユーザによって返された応答メッセージではターゲットユーザを識別できず、したがって、ソースユーザは、ターゲットユーザとProse方式でサービス通信を行うことができないという既存の問題を防止する。
【００５３】
本発明の実施形態における、または従来技術における技術的な解決策をより明確に説明するために、以下、実施形態または従来技術を説明するために必要な添付の図面を簡単に説明する。当然のことながら、以下の説明における添付の図面は、本発明の一部の実施形態を単に示すものであり、当業者は、創造的労力なしに、これらの添付の図面から他の図面をさらに導出することができる。
【図面の簡単な説明】
【００５４】
【図１】既存のMCPTTシステムの概略図である。
【図２】本発明の一実施形態に係る、発見方法の流れ図である。
【図３】本発明の一実施形態に係るユーザプレーンの概略図である。
【図４】本発明の一実施形態に係る制御プレーンの概略図である。
【図５】本発明の一実施形態に係る、別の発見方法の流れ図である。
【図６】本発明の一実施形態に係るMCPTT UE 30の構造図である。
【図６Ａ】本発明の一実施形態に係るMCPTT UE 30の構造図である。
【図７】本発明の一実施形態に係るMCPTT UE 40の構造図である。
【図８】本発明の一実施形態に係るMCPTT UE 50の構造図である。
【図９】本発明の一実施形態に係るMCPTT UE 60の構造図である。
【発明を実施するための形態】
【００５５】
以下、本発明の実施形態における添付の図面を参照しながら、本発明の実施形態における技術的な解決策を明確かつ完全に説明する。当然のことながら、説明される実施形態は、単に本発明の実施形態の一部に過ぎず、そのすべてではない。本発明の実施形態に基づいて、当業者によって創造的労力なしに得られるすべての他の実施形態は、本発明の保護範囲内に含まれるものとする。
【００５６】
実施形態1
図2は、本発明の一実施形態に係る、発見方法の流れ図を示す。発見方法は、MCPTTシステム（例えば、公安システムまたは消防システム）において、第1のMCPTT UEに適用され、その結果、第1のMCPTT UEのユーザは、ユーザの周囲にある幾人かの他のユーザまたはいくつかの通信グループを発見し、第1のMCPTT UEは、MCPTTシステムにおける任意のユーザ機器であってよく、ここでは限定されない。図2に示すように、本方法は、以下を含む。101：第1のMCPTT UEは、発見メッセージを送信し、発見メッセージは、発見ターゲットのアプリケーションレイヤ識別子情報を含み、発見ターゲットは、第1のMCPTT UEを使用する第1のユーザの少なくとも1人のターゲットユーザまたは少なくとも1つの通信グループである。
【００５７】
発見ターゲットは、第1のMCPTT UEを使用する第1のユーザが発見することを決めた幾人かのターゲットユーザまたはいくつかの通信グループであってもよい。ターゲットユーザは、MCPTTサービスを取得するためにMCPTT UEを使用する任意のユーザであってもよいし、第1のMCPTT UEを使用する第1のユーザと共に同じ通信グループ内にあってもよいし、第1のMCPTT UEを使用する第1のユーザとは異なる通信グループにあってもよく、ここでは限定されない。ターゲットユーザのアプリケーションレイヤ識別子情報は、ターゲットユーザを識別するために使用され、第3世代パートナーシッププロジェクト（英語：3rd generation partnership project、略称3GPP）において定義された外部識別子、例えば、モバイル・サブスクライバー・インターナショナルISDN／PSTNナンバー（英語：Mobile Subscriber International ISDN／PSTN number、略称MSISDN）であってもよく、ここで、ISDNは、総合サービスデジタル網であり、integrated service digital networkの略称であり、PSTNは、公衆交換電話網であり、public switched telephone networkの略称である、またはセッション・イニシエーション・プロトコル統一資源識別子（Session Initiation Protocol, Uniform resource Identity、SIP URI）であってもよい。通信グループは、MCPTTシステムにおける任意の通信グループであってよい。通信グループのアプリケーションレイヤ識別子情報は、通信グループのグループ識別子であってもよいし、アプリケーションレイヤグループ識別子であってもよく、通信グループのものであり、かつMCPTTシステムにおける、グループ名称を識別するために使用される。例えば、消防庁は、3つの通信グループ、すなわち、通信グループ1と、通信グループ2と、通信グループ3と、を含み、通信グループ1のグループ識別子は緊急グループであり、通信グループ2のグループ識別子はリーダーグループであり、通信グループ3のグループ識別子はサービスグループである。
【００５８】
MCPTTシステムでは、接続状態にない異なるMCPTT UE間において1対多（one-to-many）方式で直接通信が行われ得、ユーザプレーンチャネルが、サービス通信を行うために確立される、またはメッセージが、制御プレーンチャネルを使用して送信され、図3に示すように、ユーザプレーンは、上から下（図3において矢印が示す方向）へ連続的に6つのレイヤ、すなわち、アプリケーション（Application）レイヤと、インターネットプロトコル（Internet Protocol、IP）アドレス解決プロトコル（Address Resolution Protocol、ARP）レイヤと、パケットデータコンバージェンスプロトコル（Packet Data Convergence Protocol、PDCP）レイヤと、無線リンク制御（Radio Link Control、RLC）レイヤと、媒体アクセス制御（Media Access Control、MAC）レイヤと、物理（Physical、PHY）レイヤと、を含む。アプリケーションレイヤは、上位レイヤと呼ばれる場合もある。アプリケーションレイヤよりも下の1つ以上のレイヤは、下位レイヤと呼ばれる場合もある。一般的に、ユーザプレーンにおいて、下位レイヤでは、すべての制御プレーンメッセージまたはアプリケーションレイヤのデータは、ペイロードとしてデータパケット内に含まれる。メッセージを開始した後、アプリケーションレイヤは、下位レイヤにメッセージを送信し、下位レイヤは、対応する処理（カプセル化や転送など）を実行し、ピア装置の下位レイヤにメッセージを送信し、次いで、ピア装置の下位レイヤは、対応する処理（受信やカプセル解除など）を実行し、アプリケーションレイヤにメッセージを送信する。図4に示すように、制御プレーンは、上から下（図4において矢印が示す方向）へ連続的に3つのレイヤ、すなわち、近接度に基づくサービスプロトコル（Proximity-based Services Protocol、略称Prose Protocol）レイヤと、MACレイヤと、PHYレイヤと、を含み得る。したがって、本発明の本実施形態では、ステップ101における発見メッセージはまた、アプリケーションレイヤメッセージとして使用され、ユーザプレーンデータに含めて送信されてもよいし、制御プレーンシグナリングメッセージとして送信されてもよい。
【００５９】
発見メッセージが、アプリケーションレイヤメッセージであり、ユーザプレーンデータに含めて送信される場合、第1のMCPTT UEによって、発見メッセージを送信するステップは、
第1のMCPTT UEのアプリケーションレイヤエンティティによって、発見メッセージを送信するように判定し、第1のMCPTT UEの下位レイヤエンティティに発見メッセージを送信する、ステップと、
第1のMCPTT UEの下位レイヤエンティティによって、発見メッセージをユーザプレーンデータに含めて、発見メッセージを送信するステップと、を特に含み得る。
【００６０】
発見メッセージは、ユーザの周囲にいる、幾人かの他のユーザまたは別の通信グループの幾人かのユーザを発見するように要求するために使用される。第1のMCPTT UEを使用する第1のユーザは、第1のMCPTT UEのアプリケーションレイヤエンティティ上のトリガボタンを使用して、発見メッセージを送信することを始動してもよいし、第1のユーザは、別の方式で第1のMCPTT UEを始動して、発見メッセージを送信してもよく、このことは、本発明では限定されない。
【００６１】
発見メッセージが、制御プレーンシグナリングメッセージとして送信される場合、第1のMCPTT UEによって、発見メッセージを送信するステップは、
第1のMCPTT UEのProse Protocolレイヤエンティティによって、発見メッセージを送信するように判定し、制御プレーンシグナリングメッセージとして発見メッセージを送信する、ステップを特に含み得る。
【００６２】
発見メッセージは、ユーザの周囲にいる、幾人かの他のユーザまたは別の通信グループの幾人かのユーザを発見するように要求するために使用される。第1のMCPTT UEを使用する第1のユーザは、第1のMCPTT UEのProse Protocolレイヤエンティティ上のトリガボタンを使用して、発見メッセージを送信することを始動してもよいし、第1のユーザは、別の方式で第1のMCPTT UEを始動して、発見メッセージを送信してもよく、このことは、本発明では限定されない。
【００６３】
場合により、本発明の本実施形態では、第1のMCPTT UEは、ブロードキャスト方式で発見メッセージを送信し得、その結果、MCPTTシステムの任意の発見ターゲットが、発見メッセージを受信できる、および／または通信グループのグループレイヤ2アドレスを取得し、ターゲットアドレスとして使用されるグループレイヤ2アドレスに発見メッセージを送信し得、その結果、第1のユーザを除く通信グループにおけるすべてのユーザが、発見メッセージを受信でき、第1のMCPTT UEが、ターゲットアドレスとして使用されるグループレイヤ2アドレスに発見メッセージを送信する具体的な実装方式は、以下のとおりである。
発見ターゲットが、少なくとも1人のターゲットユーザであり、かつ少なくとも1人のターゲットユーザのターゲットユーザおよび第1のユーザは、第1の通信グループにある場合、発見メッセージを送信する、ステップは、
第1の通信グループのグループレイヤ2アドレスを取得するステップと、
グループレイヤ2アドレスへ発見メッセージを送信し、その結果、第1のユーザを除く第1の通信グループにおけるすべてのユーザが、発見メッセージを受信する、ステップと、を特に含み得る。
【００６４】
発見ターゲットが、少なくとも1つの通信グループであり、かつ第1のユーザは、少なくとも1つの通信グループの第2の通信グループにある場合、発見メッセージを送信する、ステップは、
第2の通信グループのグループレイヤ2アドレスを取得するステップと、
グループレイヤ2アドレスへ発見メッセージを送信し、その結果、第1のユーザを除く第2の通信グループにおけるすべてのユーザが、発見メッセージを受信する、ステップと、を特に含み得る。
【００６５】
場合により、本発明の本実施形態では、発見メッセージは、第1のMCPTT UEのレイヤ2識別子および第1のMCPTT UEを使用するユーザのアプリケーションレイヤ識別子をさらに含み得、第1のMCPTT UEのレイヤ2識別子は、MACレイヤアドレスなどのMACレイヤ識別子であり得る。
【００６６】
102：第1のMCPTT UEは、第2のMCPTT UEが送信した応答メッセージを受信し、応答メッセージは、第2のMCPTT UEのレイヤ2識別子および第2のMCPTT UEを使用するユーザのアプリケーションレイヤ識別子を含む。
【００６７】
発見ターゲットが、少なくとも1人のターゲットユーザである場合、第2のMCPTT UEが、少なくとも1人のターゲットユーザの任意のターゲットユーザが現在使用するMCPTT UEである、または発見ターゲットが、少なくとも1つの通信グループである場合、第2のMCPTT UEが、少なくとも1つの通信グループの任意の通信グループにおけるユーザが現在使用するMCPTT UEである。
【００６８】
場合により、本発明の本実施形態では、第1のMCPTT UEは、少なくとも1つの第2のMCPTT UEが送信した応答メッセージを1対1（one-to-one）方式で受信してもよいし、少なくとも1つの第2のMCPTT UEが送信した応答メッセージを1対多（one-to-many）方式で受信してもよい。
【００６９】
さらに、発見メッセージ送信プロセスにおけるセキュリティを確保するために、本発明の本実施形態では、発見ターゲットのアプリケーションレイヤ識別子情報は、暗号化情報であり、発見メッセージは、セキュリティパラメータをさらに含み得、セキュリティパラメータは、第2のMCPTT UEが、セキュリティパラメータに従って対応するセキュリティ情報を判定した後に、発見メッセージにおける発見ターゲットのアプリケーションレイヤ識別子を取得し、応答メッセージを返すことを可能にするために使用される。好ましくは、セキュリティパラメータは、鍵識別子であり得る。
【００７０】
さらに、ステップ101の前に、本方法は、
第1のMCPTT UEによって、第1のMCPTT UEを使用する第1のユーザのアプリケーションレイヤ識別子を取得するステップをさらに含む。
【００７１】
発見メッセージが、アプリケーションレイヤメッセージであり、ユーザプレーンデータに含められた場合、第1のMCPTT UEによって、第1のMCPTT UEを使用する第1のユーザのアプリケーションレイヤ識別子を取得するステップは、第1のMCPTT UEのアプリケーションレイヤエンティティによって、第1のMCPTT UEのデータベースから、第1のMCPTT UEを使用する第1のユーザのアプリケーションレイヤ識別子を取得するステップで特にあり得、第1のMCPTT UEを使用するユーザとユーザのアプリケーションレイヤ識別子との間の対応関係は、データベースに予め記憶される。
【００７２】
発見メッセージが、制御プレーンシグナリングメッセージである場合、第1のMCPTT UEによって、第1のMCPTT UEを使用する第1のユーザのアプリケーションレイヤ識別子を取得するステップは、第1のMCPTT UEのProse Protocolレイヤエンティティによって、第1のMCPTT UEのアプリケーションレイヤエンティティから、第1のMCPTT UEを使用する第1のユーザのアプリケーションレイヤ識別子を取得するステップで特にあり得、第1のMCPTT UEのアプリケーションレイヤエンティティは、第1のMCPTT UEのデータベースから、第1のMCPTT UEを使用する第1のユーザのアプリケーションレイヤ識別子を取得し、第1のMCPTT UEを使用するユーザとユーザのアプリケーションレイヤ識別子との間の対応関係は、データベースに予め記憶される。
【００７３】
上記より、本発明の本実施形態が発見方法を提供することがわかる。第1のMCPTT UEは、発見ターゲットの識別子情報を含む発見メッセージを送信し、少なくとも1つの第2のMCPTT UEが送信し、かつ、第2のMCPTT UEのレイヤ2識別子と、第2のMCPTT UEを使用するユーザのアプリケーションレイヤ識別子と、を含む、応答メッセージを受信する。応答メッセージは、MCPTT UEのレイヤ2識別子と、MCPTT UEを使用するユーザのアプリケーションレイヤ識別子と、を含み、したがって、送信側は、ピア側で使用されるMCPTT UEのレイヤ2識別子を判定できるだけでなく、MCPTT UEを使用するユーザをさらに判定でき、次いで、ピア側を正確に識別でき、Prose方式でサービス通信を行うことができ、その結果、ソースユーザが、ターゲットユーザによって返された応答メッセージではターゲットユーザを識別できず、したがって、ソースユーザは、ターゲットユーザとProse方式でサービス通信を行うことができないという既存の問題を防止する。
【００７４】
実施形態2
図5は、本発明の一実施形態に係る、別の発見方法の流れ図を示す。発見方法は、MCPTTシステム（例えば、公安システムまたは消防システム）において、MCPTT UEに適用され、その結果、幾人かのユーザまたはいくつかの通信グループは、MCPTT UEを使用するユーザを発見し、MCPTT UEは、MCPTTシステムにおける任意のユーザ機器であってよく、ここでは限定されない。図5に示すように、本方法は、以下を含む。
【００７５】
201：MCPTT UEは、MCPTT UEを使用する第1のユーザのアプリケーションレイヤ識別子を取得する。
【００７６】
ユーザのアプリケーションレイヤ識別子は、ユーザを識別するために使用され、3GPPにおいて定義された外部識別子、例えば、MSISDNであってもよく、ここで、ISDNは、総合サービスデジタル網であり、integrated service digital networkの略称であり、PSTNは、公衆交換電話網であり、public switched telephone networkの略称である、またはSIP URIであってもよい。
【００７７】
202：MCPTT UEは、発見メッセージを送信し、発見メッセージは、MCPTT UEを使用する第1のユーザのアプリケーションレイヤ識別子を含む。
【００７８】
MCPTTシステムでは、接続状態にない異なるMCPTT UE間において1対多（one-to-many）方式で直接通信が行われ得、ユーザプレーンチャネルが、サービス通信を行うために確立される、またはメッセージが、制御プレーンチャネルを使用して送信され、図3に示すように、ユーザプレーンは、上から下（図3において矢印が示す方向）へ連続的に6つのレイヤ、すなわち、アプリケーションレイヤと、IP ARPレイヤと、PDCPレイヤと、RLCレイヤと、MACレイヤと、PHYレイヤと、を含む。アプリケーションレイヤは、上位レイヤと呼ばれる場合もある。アプリケーションレイヤよりも下の1つ以上のレイヤは、下位レイヤと呼ばれる場合もある。一般的に、ユーザプレーンにおいて、下位レイヤでは、すべての制御プレーンメッセージまたはアプリケーションレイヤのデータは、ペイロードとしてデータパケット内に含まれる。メッセージを開始した後、アプリケーションレイヤは、下位レイヤにメッセージを送信し、下位レイヤは、対応する処理（カプセル化や転送など）を実行し、ピア装置の下位レイヤにメッセージを送信し、次いで、ピア装置の下位レイヤは、対応する処理（受信やカプセル解除など）を実行し、アプリケーションレイヤにメッセージを送信する。図4に示すように、制御プレーンは、上から下（図4において矢印が示す方向）へ連続的に3つのレイヤ、すなわち、Prose Protocolレイヤと、MACレイヤと、PHYレイヤと、を含み得る。制御プレーンでは、同一レイヤ上にあり、かつ装置ものである、2つのエンティティは、制御シグナリングを使用して送信を直接行うことができ、例えば、制御シグナリングは、MCPTT UE 1のProse ProtocolレイヤとMCPTT UE 2のProse Protocolレイヤとの間で直接送信される。したがって、本発明の本実施形態では、ステップ201における発見メッセージはまた、アプリケーションレイヤメッセージとして使用され、ユーザプレーンデータに含めることによって送信されてもよいし、制御プレーンシグナリングメッセージとして送信されてもよい。
【００７９】
発見メッセージが、アプリケーションレイヤメッセージであり、ユーザプレーンデータに含めて送信される場合、MCPTT UEによって、発見メッセージを送信するステップは、
MCPTT UEのアプリケーションレイヤエンティティによって、発見メッセージを送信するように判定し、MCPTT UEの下位レイヤエンティティに発見メッセージを送信する、ステップと、
MCPTT UEの下位レイヤエンティティによって、発見メッセージをユーザプレーンデータに含めて、発見メッセージを送信するステップと、を特に含み得る。
【００８０】
発見メッセージは、MCPTT UEを使用するユーザの周囲にいる、幾人かの他のユーザまたは別の通信グループの幾人かのユーザに、ユーザを発見するように要求するために使用される。MCPTT UEを使用する第1のユーザは、MCPTT UEのアプリケーションレイヤエンティティ上のトリガボタンを使用して、発見メッセージを送信することを始動してもよいし、第1のユーザは、別の方式でMCPTT UEを始動して、発見メッセージを送信してもよく、このことは、本発明では限定されない。
【００８１】
発見メッセージが、制御プレーンシグナリングメッセージとして送信される場合、MCPTT UEによって、発見メッセージを送信するステップは、
制御プレーンシグナリングメッセージとして発見メッセージを送信するステップを特に含み得る。
【００８２】
発見メッセージが、MCPTT UEを使用するユーザの周囲にいる、幾人かの他のユーザまたは別の通信グループの幾人かのユーザに、ユーザを発見するように要求するために使用される。MCPTT UEを使用する第1のユーザは、MCPTT UEのProse Protocolレイヤエンティティ上のトリガボタンを使用して、発見メッセージを送信することを始動してもよいし、第1のユーザは、別の方式でMCPTT UEを始動して、発見メッセージを送信してもよく、このことは、本発明では限定されない。
【００８３】
場合により、本発明の本実施形態では、発見メッセージは、MCPTT UEのレイヤ2識別子をさらに含み得、MCPTT UEのレイヤ2識別子は、MACレイヤアドレスなどのMACレイヤ識別子である。
【００８４】
場合により、本発明の本実施形態では、MCPTT UEは、ブロードキャスト方式で発見メッセージを送信し得、その結果、第1のユーザを除くMCPTTシステムのすべてのユーザが、発見メッセージを受信できる、および／または第1のユーザが属する通信グループのグループレイヤ2アドレスをさらに取得し、グループレイヤ2アドレスをターゲットアドレスとして使用し、ターゲットアドレスに発見メッセージを送信し得、その結果、第1のユーザを除くグループにおけるすべてのユーザが、発見メッセージを受信でき、グループレイヤ2アドレスをターゲットアドレスとして使用し、ターゲットアドレスに発見メッセージを送信するステップが特に、
第1のユーザが属する第1の通信グループのグループレイヤ2アドレスを取得するステップと、
グループレイヤ2アドレスへ発見メッセージを送信し、その結果、第1のユーザを除く第1の通信グループにおけるすべてのユーザが、発見メッセージを受信する、ステップと、
である。
【００８５】
第1の通信グループのグループレイヤ2アドレスは、MACアドレスなどの第1の通信グループの媒体アクセス制御レイヤ識別子であり得る。
【００８６】
さらに、発見メッセージ送信プロセスにおけるセキュリティを確保するために、本発明の本実施形態では、第1のユーザのアプリケーションレイヤ識別子は、暗号化され、発見メッセージは、セキュリティパラメータをさらに含み、セキュリティパラメータは、MCPTT UEを除く第1の通信グループにおける別のMCPTT UEが、セキュリティパラメータに従って対応するセキュリティ情報を判定した後に、発見メッセージにおけるMCPTT UEを使用する第1のユーザのアプリケーションレイヤ識別子を取得することを可能にするために使用される。
【００８７】
場合により、本発明の本実施形態では、発見メッセージが、ユーザプレーンデータを使用して送信される場合、MCPTT UEによって、MCPTT UEを使用する第1のユーザのアプリケーションレイヤ識別子を取得するステップは、MCPTT UEのアプリケーションレイヤエンティティによって、MCPTT UEのデータベースから、MCPTT UEを使用する第1のユーザのアプリケーションレイヤ識別子を取得するステップで特にあり得、MCPTT UEを使用するユーザとユーザのアプリケーションレイヤ識別子との間の対応関係は、データベースに予め記憶される。
【００８８】
発見メッセージが、制御プレーンシグナリングメッセージとして送信される場合、MCPTT UEによって、MCPTT UEを使用する第1のユーザのアプリケーションレイヤ識別子を取得するステップは、MCPTT UEのProse Protocolレイヤエンティティによって、MCPTT UEのアプリケーションレイヤエンティティから、MCPTT UEを使用する第1のユーザのアプリケーションレイヤ識別子を取得するステップで特にあり得、MCPTT UEのアプリケーションレイヤエンティティは、MCPTT UEのデータベースから、MCPTT UEを使用する第1のユーザのアプリケーションレイヤ識別子を取得し、MCPTT UEを使用するユーザとユーザのアプリケーションレイヤ識別子との間の対応関係は、データベースに予め記憶される。
【００８９】
上記より、本発明の本実施形態が発見方法を提供することがわかる。  MCPTT UEは、MCPTT UEを使用する第1のユーザのアプリケーションレイヤ識別子を含む発見メッセージを送信する。発見メッセージは、MCPTT UEを使用する第1のユーザのアプリケーションレイヤ識別子を含み、その結果、受信装置は、MCPTT UEを使用するユーザを知ることができ、次いで、ピア側は、ユーザを正確に識別し、Prose方式でサービス通信を行うことができ、このことにより、ターゲットユーザがソースユーザを識別できず、したがって、ターゲットユーザは、ソースユーザとProse方式でサービス通信を行うことができないという既存の問題を防止できる。
【００９０】
実施形態3
図6は、本発明の一実施形態に係るMCPTT UE 30の構造図を示す。MCPTT UE 30は、実施形態1の方法を実行するように構成される。図6に示すように、MCPTT UE 30は、送信ユニット301と、受信ユニット302と、を備え得る。
【００９１】
送信ユニット301は、発見メッセージを送信するように構成され、発見メッセージは、発見ターゲットのアプリケーションレイヤ識別子情報を含み、発見ターゲットは、MCPTT UE 30を使用する第1のユーザの少なくとも1人のターゲットユーザまたは少なくとも1つの通信グループである。
【００９２】
発見ターゲットは、MCPTT UE 30を使用する第1のユーザが判定および発見した、幾人かのターゲットユーザまたはいくつかの通信グループであり得る。ターゲットユーザは、MCPTTサービスを取得するためにMCPTT UEを使用する任意のユーザであってもよいし、MCPTT UE 30を使用する第1のユーザと共に同じ通信グループ内にあってもよいし、MCPTT UE 30を使用する第1のユーザとは異なる通信グループにあってもよく、ここでは限定されない。ターゲットユーザのアプリケーションレイヤ識別子情報は、ターゲットユーザを識別するために使用され、3GPPにおいて定義された外部識別子、例えば、MSISDNであってもよく、ここで、ISDNは、総合サービスデジタル網であり、integrated service digital networkの略称であり、PSTNは、公衆交換電話網であり、public switched telephone networkの略称である、またはSIP URIであってもよい。通信グループは、MCPTTシステムにおける任意の通信グループであってよい。通信グループのアプリケーションレイヤ識別子情報は、通信グループのグループ識別子であってもよいし、アプリケーションレイヤグループ識別子であってもよく、通信グループのものであり、かつMCPTTシステムにおける、グループ名称を識別するために使用される。例えば、消防庁は、3つの通信グループ、すなわち、通信グループ1と、通信グループ2と、通信グループ3と、を含み、通信グループ1のグループ識別子は緊急グループであり、通信グループ2のグループ識別子はリーダーグループであり、通信グループ3のグループ識別子はサービスグループである。
【００９３】
受信ユニット302は、第2のMCPTT UEが送信した応答メッセージを受信するように構成され、応答メッセージは、第2のMCPTT UEのレイヤ2識別子および第2のMCPTT UEを使用するユーザのアプリケーションレイヤ識別子を含む。
【００９４】
発見ターゲットが、少なくとも1人のターゲットユーザである場合、第2のMCPTT UEが、少なくとも1人のターゲットユーザの任意のターゲットユーザが現在使用するMCPTT UEである、または発見ターゲットが、少なくとも1つの通信グループである場合、第2のMCPTT UEが、少なくとも1つの通信グループの任意の通信グループにおけるユーザが現在使用するMCPTT UEである。
【００９５】
MCPTTシステムでは、接続状態にない異なるMCPTT UE間において1対多（one-to-many）方式で直接通信が行われ得、ユーザプレーンチャネルが、サービス通信を行うために確立される、またはメッセージが、制御プレーンを使用して互いに送信され、図3に示すように、ユーザプレーンは、上から下（図3において矢印が示す方向）へ連続的に6つのレイヤ、すなわち、アプリケーションレイヤと、IP ARPレイヤと、PDCPレイヤと、RLCレイヤと、MACレイヤと、PHYレイヤと、を含む。アプリケーションレイヤは、上位レイヤと呼ばれる場合もある。アプリケーションレイヤよりも下の1つ以上のレイヤは、下位レイヤと呼ばれる場合もある。一般的に、ユーザプレーンにおいて、下位レイヤでは、すべての制御プレーンメッセージまたはアプリケーションレイヤのデータは、ペイロードとしてデータパケット内に含まれる。メッセージを開始した後、アプリケーションレイヤは、下位レイヤにメッセージを送信し、下位レイヤは、対応する処理（カプセル化や転送など）を実行し、ピア装置の下位レイヤにメッセージを送信し、次いで、ピア装置の下位レイヤは、対応する処理（受信やカプセル解除など）を実行し、アプリケーションレイヤにメッセージを送信する。図4に示すように、制御プレーンは、上から下（図4において矢印が示す方向）へ連続的に3つのレイヤ、すなわち、Prose Protocolレイヤと、MACレイヤと、PHYレイヤと、を含み得る。したがって、本発明の本実施形態では、発見メッセージはまた、アプリケーションレイヤメッセージとして使用され、ユーザプレーンデータに含めることによって送信されてもよいし、制御プレーンシグナリングメッセージとして送信されてもよい。
【００９６】
発見メッセージが、アプリケーションレイヤメッセージであり、ユーザプレーンデータに含めて送信される場合、送信ユニット301は、
MCPTT UEのアプリケーションレイヤエンティティが発見メッセージを送信することを判定した場合、MCPTT UEの下位レイヤエンティティに発見メッセージを送信し、その結果、MCPTT UEの下位レイヤエンティティは、発見メッセージをユーザプレーンデータに含めて発見メッセージを送信する
ように特に構成される。
【００９７】
発見メッセージは、ユーザの周囲にいる、幾人かの他のユーザまたは別の通信グループの幾人かのユーザを発見するように要求するために使用される。MCPTT UE 30を使用する第1のユーザは、MCPTT UEのアプリケーションレイヤエンティティ上のトリガボタンを使用して、発見メッセージを送信することを始動してもよいし、第1のユーザは、別の方式でMCPTT UEを始動して、発見メッセージを送信してもよく、このことは、本発明では限定されない。
【００９８】
発見メッセージが、制御プレーンシグナリングメッセージとして送信される場合、送信ユニットは、
MCPTT UEのProse Protocolレイヤエンティティが、発見メッセージを送信するように判定した後、制御プレーンシグナリングメッセージとして発見メッセージを送信する
ように特に構成される。
【００９９】
発見メッセージは、ユーザの周囲にいる、幾人かの他のユーザまたは別の通信グループの幾人かのユーザを発見するように要求するために使用される。MCPTT UE 30を使用する第1のユーザは、MCPTT UEのProse Protocolレイヤエンティティ上のトリガボタンを使用して、発見メッセージを送信することを始動してもよいし、第1のユーザは、別の方式でMCPTT UEを始動して、発見メッセージを送信してもよく、このことは、本発明では限定されない。
【０１００】
場合により、本発明の本実施形態では、発見メッセージは、MCPTT UEのレイヤ2識別子およびMCPTT UEを使用するユーザのアプリケーションレイヤ識別子をさらに含み得、MCPTT UEのレイヤ2識別子は、MACレイヤアドレスなどのMACレイヤ識別子であり得る。
【０１０１】
さらに、本発明の本実施形態では、送信ユニット301は、ブロードキャスト方式で発見メッセージを送信し得、その結果、MCPTTシステムの任意の発見ターゲットが、発見メッセージを受信できる、および／または通信グループのグループレイヤ2アドレスを取得し、ターゲットアドレスとして使用されるグループレイヤ2アドレスに発見メッセージを送信し得、その結果、第1のユーザを除く通信グループにおけるすべてのユーザが、発見メッセージを受信でき、送信ユニット301が、ターゲットアドレスとして使用されるグループレイヤ2アドレスに発見メッセージを送信する具体的な実装方式は、以下のとおりである。
発見ターゲットが、少なくとも1人のターゲットユーザであり、かつ少なくとも1人のターゲットユーザのターゲットユーザおよび第1のユーザは、第1の通信グループにある場合、図6Aに示すように、MCPTT UEは、
第1の通信グループのグループレイヤ2アドレスを取得するように構成された取得ユニット303をさらに備え、
送信ユニット301は、グループレイヤ2アドレスへ発見メッセージを送信し、その結果、第1のユーザを除く第1の通信グループにおけるすべてのユーザが、発見メッセージを受信するように特に構成される。
【０１０２】
発見ターゲットが、少なくとも1つの通信グループであり、かつ第1のユーザは、少なくとも1つの通信グループの第2の通信グループにある場合、
取得ユニット303は、第2の通信グループのグループレイヤ2アドレスを取得するように構成され、
送信ユニット301は、グループレイヤ2アドレスへ発見メッセージを送信し、その結果、第1のユーザを除く第2の通信グループにおけるすべてのユーザが、発見メッセージを受信するように特に構成される。
【０１０３】
グループレイヤ2アドレスは、MACアドレスなどの通信グループの媒体アクセス制御レイヤ識別子であり得、ターゲット通信グループを識別するために使用される。
【０１０４】
さらに、本発明の本実施形態では、受信ユニット302は、少なくとも1つの第2のMCPTT UEが送信した応答メッセージを1対1（one-to-one）方式で受信するように構成されてもよいし、少なくとも1つの第2のMCPTT UEが送信した応答メッセージを1対多（one-to-many）方式で受信するように構成されてもよい。
【０１０５】
さらに、発見メッセージ送信プロセスにおけるセキュリティを確保するために、発見ターゲットのアプリケーションレイヤ識別子情報は、暗号化情報であり、発見メッセージは、セキュリティパラメータをさらに含み得、セキュリティパラメータは、第2のMCPTT UEが、セキュリティパラメータに従って対応するセキュリティ情報を判定した後に、発見メッセージにおける発見ターゲットのアプリケーションレイヤ識別子を取得し、応答メッセージを返すことを可能にするために使用される。好ましくは、セキュリティパラメータは、鍵識別子であり得る。
【０１０６】
さらに、取得ユニット303は、送信ユニット301が発見メッセージを送信する前に、MCPTT UE 30を使用する第1のユーザアプリケーションレイヤ識別子を取得するようにさらに構成される。
【０１０７】
場合により、発見メッセージが、アプリケーションレイヤメッセージであり、ユーザプレーンデータに含められた場合、取得ユニット303は、MCPTT UEのアプリケーションレイヤエンティティに配置され、取得ユニット303によって、MCPTT UE 30を使用する第1のユーザのアプリケーションレイヤ識別子を取得するステップは、MCPTT UEのデータベースから、MCPTT UE 30を使用する第1のユーザのアプリケーションレイヤ識別子を取得するステップで特にあり得、MCPTT UEを使用するユーザとユーザのアプリケーションレイヤ識別子との間の対応関係は、データベースに予め記憶される。
【０１０８】
発見メッセージが、制御プレーンシグナリングメッセージである場合、取得ユニット303は、MCPTT UEのProse Protocolレイヤエンティティに配置され、取得ユニット303によって、MCPTT UE 30を使用する第1のユーザのアプリケーションレイヤ識別子を取得するステップは、MCPTT UEのアプリケーションレイヤエンティティから、MCPTT UE 30を使用する第1のユーザのアプリケーションレイヤ識別子を取得するステップで特にあり得、MCPTT UEのアプリケーションレイヤエンティティは、MCPTT UEのデータベースから、MCPTT UE 30を使用する第1のユーザのアプリケーションレイヤ識別子を取得し、MCPTT UEを使用するユーザとユーザのアプリケーションレイヤ識別子との間の対応関係は、データベースに予め記憶される。
【０１０９】
上記より、本発明の本実施形態は、発見ターゲットの識別子情報を含む発見メッセージを送信し、少なくとも1つの第2のMCPTT UEが送信し、かつ、第2のMCPTT UEのレイヤ2識別子と、第2のMCPTT UEを使用するユーザのアプリケーションレイヤ識別子と、を含む、応答メッセージを受信するMCPTT UEを提供することがわかる。応答メッセージは、MCPTT UEのレイヤ2識別子と、MCPTT UEを使用するユーザのアプリケーションレイヤ識別子と、を含み、したがって、送信側は、ピア側で使用されるMCPTT UEのレイヤ2識別子を判定できるだけでなく、MCPTT UEを使用するユーザをさらに判定でき、次いで、ピア側を正確に識別でき、Prose方式でサービス通信を行うことができ、その結果、ソースユーザが、ターゲットユーザによって返された応答メッセージではターゲットユーザを識別できず、したがって、ソースユーザは、ターゲットユーザとProse方式でサービス通信を行うことができないという既存の問題を防止する。
【０１１０】
実施形態4
図7は、本発明の一実施形態に係るMCPTT UE 40の構造図を示す。MCPTT UE 40は、実施形態2の方法に適用される。図7に示すように、MCPTT UE 40は、取得ユニット401と、送信ユニット402と、を備え得る。
【０１１１】
取得ユニット401は、MCPTT UE 40を使用する第1のユーザのアプリケーションレイヤ識別子を取得するように構成される。
【０１１２】
ユーザのアプリケーションレイヤ識別子は、ユーザを識別するために使用され、3GPPにおいて定義された外部識別子、例えば、MSISDNであってもよく、ここで、ISDNは、総合サービスデジタル網であり、integrated service digital networkの略称であり、PSTNは、公衆交換電話網であり、public switched telephone networkの略称である、またはSIP URIであってもよい。
【０１１３】
送信ユニット402は、取得ユニット401が、MCPTT UE 40を使用する第1のユーザのアプリケーションレイヤ識別子を取得した後、発見メッセージを送信するように構成され、発見メッセージは、MCPTT UE 40を使用する第1のユーザのアプリケーションレイヤ識別子を含む。
【０１１４】
MCPTTシステムでは、接続状態にない異なるMCPTT UE間において1対多（one-to-many）方式で直接通信が行われ得、ユーザプレーンチャネルが、サービス通信を行うために確立される、またはメッセージが、制御プレーンを使用して互いに送信され、図3に示すように、ユーザプレーンは、上から下（図3において矢印が示す方向）へ連続的に6つのレイヤ、すなわち、アプリケーションレイヤと、IP ARPレイヤと、PDCPレイヤと、RLCレイヤと、MACレイヤと、PHYレイヤと、を含む。アプリケーションレイヤは、上位レイヤと呼ばれる場合もある。アプリケーションレイヤよりも下の1つ以上のレイヤは、下位レイヤと呼ばれる場合もある。一般的に、ユーザプレーンにおいて、下位レイヤでは、すべての制御プレーンメッセージまたはアプリケーションレイヤのデータは、ペイロードとしてデータパケット内に含まれる。メッセージを開始した後、アプリケーションレイヤは、下位レイヤにメッセージを送信し、下位レイヤは、対応する処理（カプセル化や転送など）を実行し、ピア装置の下位レイヤにメッセージを送信し、次いで、ピア装置の下位レイヤは、対応する処理（受信やカプセル解除など）を実行し、アプリケーションレイヤにメッセージを送信する。図4に示すように、制御プレーンは、上から下（図4において矢印が示す方向）へ連続的に3つのレイヤ、すなわち、Prose Protocolレイヤと、MACレイヤと、PHYレイヤと、を含み得る。したがって、本発明の本実施形態では、発見メッセージは、アプリケーションレイヤメッセージとして使用され、ユーザプレーンデータに含めることによって送信されてもよいし、制御プレーンシグナリングメッセージとして送信されてもよい。
【０１１５】
発見メッセージが、アプリケーションレイヤメッセージであり、ユーザプレーンデータに含めて送信される場合、送信ユニット402は、
MCPTT UEのアプリケーションレイヤエンティティが発見メッセージを送信することを判定した後、MCPTT UEの下位レイヤエンティティに発見メッセージを送信し、その結果、MCPTT UEの下位レイヤエンティティは、発見メッセージをユーザプレーンデータに含めて発見メッセージを送信する
ように特に構成され得る。
【０１１６】
発見メッセージは、MCPTT UEを使用するユーザの周囲にいる、幾人かの他のユーザまたは別の通信グループの幾人かのユーザに、ユーザを発見するように要求するために使用される。MCPTT UE 40を使用する第1のユーザは、MCPTT UEのアプリケーションレイヤエンティティ上のトリガボタンを使用して、発見メッセージを送信することを始動してもよいし、第1のユーザは、別の方式でMCPTT UEを始動して、発見メッセージを送信してもよく、このことは、本発明では限定されない。
【０１１７】
発見メッセージが、制御プレーンシグナリングメッセージとして送信される場合、送信ユニット402は、
MCPTT UEのProse Protocolレイヤエンティティが、発見メッセージを判定した後、制御プレーンシグナリングメッセージとして発見メッセージを送信する
ように特に構成され得る。
【０１１８】
発見要求メッセージが、MCPTT UEを使用するユーザの周囲にいる、幾人かの他のユーザまたは別の通信グループの幾人かのユーザに、ユーザを発見するように要求するために使用される。MCPTT UE 40を使用する第1のユーザは、MCPTT UEのProse Protocolレイヤエンティティ上のトリガボタンを使用して、発見メッセージを送信することを始動してもよいし、第1のユーザは、別の方式でMCPTT UEを始動して、発見メッセージを送信してもよく、このことは、本発明では限定されない。
【０１１９】
対応して、発見メッセージが、ユーザプレーンデータを使用して送信された場合、取得ユニット401は、MCPTT UEのアプリケーションレイヤエンティティに配置され、取得ユニット401によって、MCPTT UE 40を使用する第1のユーザのアプリケーションレイヤ識別子を取得するステップは、MCPTT UE 40のデータベースから、MCPTT UE 40を使用する第1のユーザのアプリケーションレイヤ識別子を取得するステップで特にあり得、MCPTT UEを使用するユーザとユーザのアプリケーションレイヤ識別子との間の対応関係は、データベースに予め記憶される。
【０１２０】
発見メッセージが、制御プレーンシグナリングメッセージとして送信される場合、取得ユニット401によって、MCPTT UE 40を使用する第1のユーザのアプリケーションレイヤ識別子を取得するステップは、MCPTT UEのアプリケーションレイヤエンティティから、MCPTT UEを使用する第1のユーザのアプリケーションレイヤ識別子を取得するステップで特にあり得、MCPTT UEのアプリケーションレイヤエンティティは、MCPTT UEのデータベースから、MCPTT UE 40を使用する第1のユーザのアプリケーションレイヤ識別子を取得し、MCPTT UE 40を使用するユーザとユーザのアプリケーションレイヤ識別子との間の対応関係は、データベースに予め記憶される。
【０１２１】
さらに、本発明の本実施形態では、発見メッセージは、MCPTT UEのレイヤ2識別子をさらに含み得、MCPTT UEのレイヤ2識別子は、MACレイヤアドレスなどのMACレイヤ識別子である。
【０１２２】
さらに、本発明の本実施形態では、送信ユニット402は、ブロードキャスト方式で発見メッセージを送信するように特に構成され得、その結果、MCPTTシステムのすべてのユーザが、発見メッセージを受信できる、および／または第1のユーザが属する通信グループのグループレイヤ2アドレスをさらに取得し、グループレイヤ2アドレスをターゲットアドレスとして使用し、ターゲットアドレスに発見メッセージを送信し得、その結果、グループにおけるすべてのユーザが、発見メッセージを受信でき、送信ユニット402によって、グループレイヤ2アドレスをターゲットアドレスとして使用し、ターゲットアドレスに発見メッセージを送信するステップが特に、
取得ユニット401は、第1のユーザが属する第1の通信グループのグループレイヤ2アドレスを取得するようにさらに構成され、
送信ユニット402は、グループレイヤ2アドレスへ発見メッセージを送信し、その結果、第1のユーザを除く第1の通信グループにおけるすべてのユーザが、発見メッセージを受信するように特に構成される。
【０１２３】
第1の通信グループのグループレイヤ2アドレスは、MACアドレスなどの第1の通信グループの媒体アクセス制御レイヤ識別子であり得る。
【０１２４】
さらに、発見メッセージ送信プロセスにおけるセキュリティを確保するために、第1のユーザのアプリケーションレイヤ識別子は、暗号化され、発見メッセージは、セキュリティパラメータをさらに含み、セキュリティパラメータは、MCPTT UEを除く第1の通信グループにおける別のMCPTT UEが、セキュリティパラメータに従って対応するセキュリティ情報を判定した後に、発見メッセージにおけるMCPTT UE 40を使用する第1のユーザのアプリケーションレイヤ識別子を取得することを可能にするために使用される。
【０１２５】
上記より、本発明の本実施形態は、MCPTT UEを提供することがわかる。MCPTT UEは、MCPTT UE 40を使用する第1のユーザのアプリケーションレイヤ識別子を含む発見メッセージを送信する。発見メッセージは、MCPTT UE 40を使用する第1のユーザのアプリケーションレイヤ識別子を含み、その結果、受信装置は、MCPTT UEを使用するユーザを知ることができ、次いで、ピア側は、ユーザを正確に識別し、Prose方式でサービス通信を行うことができ、このことにより、ターゲットユーザがソースユーザを識別できず、したがって、ターゲットユーザは、ソースユーザとProse方式でサービス通信を行うことができないという既存の問題を防止できる。
【０１２６】
実施形態5
図8は、本発明の一実施形態に係るMCPTT UE 50の構造図を示す。MCPTT UE 50は、実施形態1の方法を実行するように構成される。図8に示すように、MCPTT UE 50は、通信ユニット501と、プロセッサ502と、メモリ503と、これらの装置間の接続および相互通信を実現するように構成された少なくとも1つの通信バス504と、を備える。
【０１２７】
通信ユニット501は、外部ネットワーク要素とのデータ伝送を行うように構成される。
【０１２８】
プロセッサ502は、中央演算処理装置（英語：central processing unit、略称CPU）であってもよい。
【０１２９】
メモリ503は、ランダムアクセスメモリ（英語：random-access memory、略称RAM）などの揮発性メモリ（英語：volatile memory）であってもよいし、読み出し専用メモリ（英語：read-only memory、略称ROM）、フラッシュメモリ（英語：flash memory）、ハードディスクドライブ（英語：hard disk drive、略称HDD）、またはソリッドステートドライブ（英語：solid-state drive、略称SSD）などの不揮発性メモリ（英語：non-volatile memory）であってもよいし、上記のタイプのメモリの組み合わせであってもよく、命令およびデータをプロセッサ502に提供する。
【０１３０】
通信ユニット501は、発見メッセージを送信するように構成され、発見メッセージは、発見ターゲットのアプリケーションレイヤ識別子情報を含み、発見ターゲットは、MCPTT UE 50を使用する第1のユーザの少なくとも1人のターゲットユーザまたは少なくとも1つの通信グループであり、かつ
第2のMCPTT UEが送信した応答メッセージを受信するように構成され、応答メッセージが、第2のMCPTT UEのレイヤ2識別子および第2のMCPTT UEを使用するユーザのアプリケーションレイヤ識別子を含む。
【０１３１】
発見ターゲットは、MCPTT UE 50を使用する第1のユーザが判定および発見した、幾人かのターゲットユーザまたはいくつかの通信グループであり得る。ターゲットユーザは、MCPTTサービスを取得するためにMCPTT UEを使用する任意のユーザであってもよいし、MCPTT UE 50を使用する第1のユーザと共に同じ通信グループ内にあってもよいし、MCPTT UE 50を使用する第1のユーザとは異なる通信グループにあってもよく、ここでは限定されない。ターゲットユーザのアプリケーションレイヤ識別子情報は、ターゲットユーザを識別するために使用され、3GPPにおいて定義された外部識別子、例えば、MSISDNであってもよく、ここで、ISDNは、総合サービスデジタル網であり、integrated service digital networkの略称であり、PSTNは、公衆交換電話網であり、public switched telephone networkの略称である、またはSIP URIであってもよい。通信グループは、MCPTTシステムにおける任意の通信グループであってよい。通信グループのアプリケーションレイヤ識別子情報は、通信グループのグループ識別子であってもよいし、アプリケーションレイヤグループ識別子であってもよく、通信グループのものであり、かつMCPTTシステムにおける、グループ名称を識別するために使用される。例えば、消防庁は、3つの通信グループ、すなわち、通信グループ1と、通信グループ2と、通信グループ3と、を含み、通信グループ1のグループ識別子は緊急グループであり、通信グループ2のグループ識別子はリーダーグループであり、通信グループ3のグループ識別子はサービスグループである。
【０１３２】
発見ターゲットが、少なくとも1人のターゲットユーザである場合、第2のMCPTT UEが、少なくとも1人のターゲットユーザの任意のターゲットユーザが現在使用するMCPTT UEである、または発見ターゲットが、少なくとも1つの通信グループである場合、第2のMCPTT UEが、少なくとも1つの通信グループの任意の通信グループにおけるユーザが現在使用するMCPTT UEである。
【０１３３】
MCPTTシステムでは、接続状態にない異なるMCPTT UE間において1対多（one-to-many）方式で直接通信が行われ得、ユーザプレーンチャネルが、サービス通信を行うために確立される、またはメッセージが、制御プレーンを使用して互いに送信され、図3に示すように、ユーザプレーンは、上から下（図3において矢印が示す方向）へ連続的に6つのレイヤ、すなわち、アプリケーションレイヤと、IP ARPレイヤと、PDCPレイヤと、RLCレイヤと、MACレイヤと、PHYレイヤと、を含む。アプリケーションレイヤは、上位レイヤと呼ばれる場合もある。アプリケーションレイヤよりも下の1つ以上のレイヤは、下位レイヤと呼ばれる場合もある。一般的に、ユーザプレーンにおいて、下位レイヤでは、すべての制御プレーンメッセージまたはアプリケーションレイヤのデータは、ペイロードとしてデータパケット内に含まれる。メッセージを開始した後、アプリケーションレイヤは、下位レイヤにメッセージを送信し、下位レイヤは、対応する処理（カプセル化や転送など）を実行し、ピア装置の下位レイヤにメッセージを送信し、次いで、ピア装置の下位レイヤは、対応する処理（受信やカプセル解除など）を実行し、アプリケーションレイヤにメッセージを送信する。図4に示すように、制御プレーンは、上から下（図4において矢印が示す方向）へ連続的に3つのレイヤ、すなわち、Prose Protocolレイヤと、MACレイヤと、PHYレイヤと、を含み得る。したがって、本発明の本実施形態では、発見メッセージはまた、アプリケーションレイヤメッセージとして使用され、ユーザプレーンデータに含めることによって送信されてもよいし、制御プレーンシグナリングメッセージとして送信されてもよい。
【０１３４】
発見メッセージが、アプリケーションレイヤメッセージであり、ユーザプレーンデータに含めて送信される場合、通信ユニット501は、
MCPTT UEのアプリケーションレイヤエンティティが発見メッセージを送信することを判定した場合、MCPTT UEの下位レイヤエンティティに発見メッセージを送信し、その結果、MCPTT UEの下位レイヤエンティティは、発見メッセージをユーザプレーンデータに含めて発見メッセージを送信する
ように特に構成される。
【０１３５】
発見メッセージは、ユーザの周囲にいる、幾人かの他のユーザまたは別の通信グループの幾人かのユーザを発見するように要求するために使用される。MCPTT UE 50を使用する第1のユーザは、MCPTT UEのアプリケーションレイヤエンティティ上のトリガボタンを使用して、発見メッセージを送信することを始動してもよいし、第1のユーザは、別の方式でMCPTT UEを始動して、発見メッセージを送信してもよく、このことは、本発明では限定されない。
【０１３６】
発見メッセージが、制御プレーンシグナリングメッセージとして送信される場合、送信ユニットは、
第1のMCPTT UEのProse Protocolレイヤエンティティが、発見メッセージを送信するように判定した後、制御プレーンシグナリングメッセージとして発見メッセージを送信する
ように特に構成される。
【０１３７】
発見メッセージは、ユーザの周囲にいる、幾人かの他のユーザまたは別の通信グループの幾人かのユーザを発見するように要求するために使用される。MCPTT UE 50を使用する第1のユーザは、MCPTT UEのProse Protocolレイヤエンティティ上のトリガボタンを使用して、発見メッセージを送信することを始動してもよいし、第1のユーザは、別の方式でMCPTT UEを始動して、発見メッセージを送信してもよく、このことは、本発明では限定されない。
【０１３８】
場合により、本発明の本実施形態では、発見メッセージは、MCPTT UEのレイヤ2識別子およびMCPTT UEを使用するユーザのアプリケーションレイヤ識別子をさらに含み得、MCPTT UEのレイヤ2識別子は、MACレイヤアドレスなどのMACレイヤ識別子であり得る。
【０１３９】
さらに、本発明の本実施形態では、通信ユニット501は、ブロードキャスト方式で発見メッセージを送信し得、その結果、MCPTTシステムの任意の発見ターゲットが、発見メッセージを受信できる、および／または通信グループのグループレイヤ2アドレスを取得し、ターゲットアドレスとして使用されるグループレイヤ2アドレスに発見メッセージを送信し得、その結果、通信グループにおけるすべてのユーザが、発見メッセージを受信でき、通信ユニット501が、ターゲットアドレスとして使用されるグループレイヤ2アドレスに発見メッセージを送信する具体的な実装方式は、以下のとおりである。
【０１４０】
発見ターゲットが、少なくとも1人のターゲットユーザであり、かつ少なくとも1人のターゲットユーザのターゲットユーザおよび第1のユーザは、第1の通信グループにある場合、プロセッサ502は、第1の通信グループのグループレイヤ2アドレスを取得するように構成され、
通信ユニット501は、グループレイヤ2アドレスへ発見メッセージを送信し、その結果、第1のユーザを除く第1の通信グループにおけるすべてのユーザが、発見メッセージを受信するように特に構成される。
【０１４１】
発見ターゲットが、少なくとも1つの通信グループであり、かつ第1のユーザは、少なくとも1つの通信グループの第2の通信グループにある場合、
プロセッサ502は、第2の通信グループのグループレイヤ2アドレスを取得するように構成され、
通信ユニット501は、グループレイヤ2アドレスへ発見メッセージを送信し、その結果、第1のユーザを除く第2の通信グループにおけるすべてのユーザが、発見メッセージを受信するように特に構成される。
【０１４２】
グループレイヤ2アドレスは、MACアドレスなどの通信グループの媒体アクセス制御レイヤ識別子であり得、ターゲット通信グループを識別するために使用される。
【０１４３】
さらに、本発明の本実施形態では、通信ユニット501は、少なくとも1つの第2のMCPTT UEが送信した応答メッセージを1対1（one-to-one）方式で受信するように構成されてもよいし、少なくとも1つの第2のMCPTT UEが送信した応答メッセージを1対多（one-to-many）方式で受信するように構成されてもよい。
【０１４４】
さらに、発見メッセージ送信プロセスにおけるセキュリティを確保するために、発見ターゲットのアプリケーションレイヤ識別子情報は、暗号化情報であり、発見メッセージは、セキュリティパラメータをさらに含み得、セキュリティパラメータは、第2のMCPTT UEが、セキュリティパラメータに従って対応するセキュリティ情報を判定した後に、発見メッセージにおける発見ターゲットのアプリケーションレイヤ識別子を取得し、応答メッセージを返すことを可能にするために使用される。好ましくは、セキュリティパラメータは、鍵識別子であり得る。
【０１４５】
さらに、プロセッサ502は、通信ユニット501が発見メッセージを送信する前に、MCPTT UE 50を使用する第1のユーザアプリケーションレイヤ識別子を取得するようにさらに構成される。
【０１４６】
場合により、発見メッセージが、アプリケーションレイヤメッセージであり、ユーザプレーンデータに含められた場合、プロセッサ502は、MCPTT UEのアプリケーションレイヤエンティティに配置され、プロセッサ502によって、MCPTT UE 50を使用する第1のユーザのアプリケーションレイヤ識別子を取得するステップは、MCPTT UEのデータベースから、MCPTT UE 50を使用する第1のユーザのアプリケーションレイヤ識別子を取得するステップで特にあり得、MCPTT UE を使用するユーザとユーザのアプリケーションレイヤ識別子との間の対応関係は、データベースに予め記憶される。
【０１４７】
発見メッセージが、制御プレーンシグナリングメッセージである場合、プロセッサ502は、MCPTT UEのProse Protocolレイヤエンティティに配置され、プロセッサ502によって、MCPTT UE 50を使用する第1のユーザのアプリケーションレイヤ識別子を取得するステップは、MCPTT UEのアプリケーションレイヤエンティティから、MCPTT UE 50を使用する第1のユーザのアプリケーションレイヤ識別子を取得するステップで特にあり得、MCPTT UEのアプリケーションレイヤエンティティは、MCPTT UEのデータベースから、MCPTT UE 50を使用する第1のユーザのアプリケーションレイヤ識別子を取得し、MCPTT UEを使用するユーザとユーザのアプリケーションレイヤ識別子との間の対応関係は、データベースに予め記憶される。
【０１４８】
上記より、本発明の本実施形態は、発見ターゲットの識別子情報を含む発見メッセージを送信し、少なくとも1つの第2のMCPTT UEが送信し、かつ、第2のMCPTT UEのレイヤ2識別子と、第2のMCPTT UEを使用するユーザのアプリケーションレイヤ識別子と、を含む、応答メッセージを受信するMCPTT UEを提供することがわかる。応答メッセージは、第2のMCPTT UEのレイヤ2識別子と、第2のMCPTT UEを使用するユーザのアプリケーションレイヤ識別子と、を含み、したがって、送信側は、ピア側で使用されるMCPTT UEのレイヤ2識別子を判定できるだけでなく、MCPTT UEを使用するユーザをさらに判定でき、次いで、ピア側を正確に識別でき、Prose方式でサービス通信を行うことができ、その結果、ソースユーザが、ターゲットユーザによって返された応答メッセージではターゲットユーザを識別できず、したがって、ソースユーザは、ターゲットユーザとProse方式でサービス通信を行うことができないという既存の問題を防止する。
【０１４９】
実施形態6
図9は、本発明の一実施形態に係るMCPTT UE 60の構造図を示す。MCPTT UE 60は、実施形態2の方法に適用される。図9に示すように、MCPTT UE 60は、通信ユニット601と、プロセッサ602と、メモリ603と、これらの装置間の接続および相互通信を実現するように構成された少なくとも1つの通信バス604と、を備える。
【０１５０】
通信ユニット601は、外部ネットワーク要素とのデータ伝送を行うように構成される。
【０１５１】
プロセッサ602は、中央演算処理装置（英語：central processing unit、略称CPU）であってもよい。
【０１５２】
メモリ603は、RAMなどの揮発性メモリであってもよいし、ROM、フラッシュメモリ、HDD、またはSSDなどの不揮発性メモリであってもよいし、上記のタイプのメモリの組み合わせであってもよく、命令およびデータをプロセッサ602に提供する。
【０１５３】
プロセッサ602は、MCPTT UE 60を使用する第1のユーザのアプリケーションレイヤ識別子を取得するように構成される。
【０１５４】
ユーザのアプリケーションレイヤ識別子は、ユーザを識別するために使用され、3GPPにおいて定義された外部識別子、例えば、MSISDNであってもよく、ここで、ISDNは、総合サービスデジタル網であり、integrated service digital networkの略称であり、PSTNは、公衆交換電話網であり、public switched telephone networkの略称である、またはSIP URIであってもよい。
【０１５５】
通信ユニット601は、プロセッサ602が、MCPTT UE 60を使用する第1のユーザのアプリケーションレイヤ識別子を取得した後、発見メッセージを送信するように構成され、発見メッセージは、MCPTT UE 60を使用する第1のユーザのアプリケーションレイヤ識別子を含む。
【０１５６】
MCPTTシステムでは、接続状態にない異なるMCPTT UE間において1対多（one-to-many）方式で直接通信が行われ得、ユーザプレーンチャネルが、サービス通信を行うために確立される、またはメッセージが、制御プレーンを使用して互いに送信され、図3に示すように、ユーザプレーンは、上から下（図3において矢印が示す方向）へ連続的に6つのレイヤ、すなわち、アプリケーションレイヤと、IP ARPレイヤと、PDCPレイヤと、RLCレイヤと、MACレイヤと、PHYレイヤと、を含む。アプリケーションレイヤは、上位レイヤと呼ばれる場合もある。アプリケーションレイヤよりも下の1つ以上のレイヤは、下位レイヤと呼ばれる場合もある。一般的に、ユーザプレーンにおいて、下位レイヤでは、すべての制御プレーンメッセージまたはアプリケーションレイヤのデータは、ペイロードとしてデータパケット内に含まれる。メッセージを開始した後、アプリケーションレイヤは、下位レイヤにメッセージを送信し、下位レイヤは、対応する処理（カプセル化や転送など）を実行し、ピア装置の下位レイヤにメッセージを送信し、次いで、ピア装置の下位レイヤは、対応する処理（受信やカプセル解除など）を実行し、アプリケーションレイヤにメッセージを送信する。図4に示すように、制御プレーンは、上から下（図4において矢印が示す方向）へ連続的に3つのレイヤ、すなわち、Prose Protocolレイヤと、MACレイヤと、PHYレイヤと、を含み得る。したがって、本発明の本実施形態では、発見メッセージは、アプリケーションレイヤメッセージとして使用され、ユーザプレーンデータに含めることによって送信されてもよいし、制御プレーンシグナリングメッセージとして送信されてもよい。
【０１５７】
発見メッセージが、アプリケーションレイヤメッセージであり、ユーザプレーンデータに含めて送信される場合、通信ユニット601は、
MCPTT UEのアプリケーションレイヤエンティティが発見メッセージを送信することを判定した後、MCPTT UEの下位レイヤエンティティに発見メッセージを送信し、その結果、MCPTT UEの下位レイヤエンティティは、発見メッセージをユーザプレーンデータに含めて発見メッセージを送信する
ように特に構成され得る。
【０１５８】
発見メッセージは、MCPTT UEを使用するユーザの周囲にいる、幾人かの他のユーザまたは別の通信グループの幾人かのユーザに、ユーザを発見するように要求するために使用される。MCPTT UE 60を使用する第1のユーザは、MCPTT UEのアプリケーションレイヤエンティティ上のトリガボタンを使用して、発見メッセージを送信することを始動してもよいし、第1のユーザは、別の方式でMCPTT UEを始動して、発見メッセージを送信してもよく、このことは、本発明では限定されない。
【０１５９】
発見メッセージが、制御プレーンシグナリングメッセージとして送信される場合、通信ユニット601は、
MCPTT UEのProse Protocolレイヤエンティティが、発見メッセージを判定した後、制御プレーンシグナリングメッセージとして発見メッセージを送信する
ように特に構成され得る。
【０１６０】
発見要求メッセージが、MCPTT UEを使用するユーザの周囲にいる、幾人かの他のユーザまたは別の通信グループの幾人かのユーザに、ユーザを発見するように要求するために使用される。MCPTT UE 60を使用する第1のユーザは、MCPTT UEのProse Protocolレイヤエンティティ上のトリガボタンを使用して、発見メッセージを送信することを始動してもよいし、第1のユーザは、別の方式でMCPTT UEを始動して、発見メッセージを送信してもよく、このことは、本発明では限定されない。
【０１６１】
対応して、発見メッセージが、ユーザプレーンデータを使用して送信された場合、プロセッサ602は、MCPTT UEのアプリケーションレイヤエンティティに配置され、プロセッサ602によって、MCPTT UE 60を使用する第1のユーザのアプリケーションレイヤ識別子を取得するステップは、MCPTT UEのデータベースから、MCPTT UE 60を使用する第1のユーザのアプリケーションレイヤ識別子を取得するステップで特にあり得、MCPTT UEを使用するユーザとユーザのアプリケーションレイヤ識別子との間の対応関係は、データベースに予め記憶される。
【０１６２】
発見メッセージが、制御プレーンシグナリングメッセージとして送信される場合、プロセッサ602によって、MCPTT UE 60を使用する第1のユーザのアプリケーションレイヤ識別子を取得するステップは、MCPTT UEのアプリケーションレイヤエンティティから、MCPTT UEを使用する第1のユーザのアプリケーションレイヤ識別子を取得するステップで特にあり得、MCPTT UEのアプリケーションレイヤエンティティは、MCPTT UEのデータベースから、MCPTT UE 60を使用する第1のユーザのアプリケーションレイヤ識別子を取得し、MCPTT UE 60を使用するユーザとユーザのアプリケーションレイヤ識別子との間の対応関係は、データベースに予め記憶される。
【０１６３】
さらに、本発明の本実施形態では、発見メッセージは、MCPTT UEのレイヤ2識別子をさらに含み得、MCPTT UEのレイヤ2識別子は、MACレイヤアドレスなどのMACレイヤ識別子である。
【０１６４】
さらに、本発明の本実施形態では、通信ユニット601は、ブロードキャスト方式で発見メッセージを送信するように特に構成され得、その結果、MCPTTシステムのすべてのユーザが、発見メッセージを受信できる、および／または第1のユーザが属する通信グループのグループレイヤ2アドレスをさらに取得し、グループレイヤ2アドレスをターゲットアドレスとして使用し、ターゲットアドレスに発見メッセージを送信し得、その結果、グループにおけるすべてのユーザが、発見メッセージを受信でき、通信ユニット601によって、グループレイヤ2アドレスをターゲットアドレスとして使用し、ターゲットアドレスに発見メッセージを送信するステップが特に、
プロセッサ602は、第1のユーザが属する第1の通信グループのグループレイヤ2アドレスを取得するようにさらに構成され、
通信ユニット601は、グループレイヤ2アドレスへ発見メッセージを送信し、その結果、第1のユーザを除く第1の通信グループにおけるすべてのユーザが、発見メッセージを受信するように特に構成される。
【０１６５】
第1の通信グループのグループレイヤ2アドレスは、MACアドレスなどの第1の通信グループの媒体アクセス制御レイヤ識別子であり得る。
【０１６６】
さらに、発見メッセージ送信プロセスにおけるセキュリティを確保するために、第1のユーザのアプリケーションレイヤ識別子は、暗号化され、発見メッセージは、セキュリティパラメータをさらに含み、セキュリティパラメータは、MCPTT UEを除く第1の通信グループにおける別のMCPTT UEが、セキュリティパラメータに従って対応するセキュリティ情報を判定した後に、発見メッセージにおけるMCPTT UE 60を使用する第1のユーザのアプリケーションレイヤ識別子を取得することを可能にするために使用される。
【０１６７】
上記より、本発明の本実施形態は、MCPTT UEを提供することがわかる。MCPTT UEは、MCPTT UE 60を使用する第1のユーザのアプリケーションレイヤ識別子を含む発見メッセージを送信する。発見メッセージは、MCPTT UE 60を使用する第1のユーザのアプリケーションレイヤ識別子を含み、その結果、受信装置は、MCPTT UE 60を使用するユーザを知ることができ、次いで、ピア側は、ユーザを正確に識別し、Prose方式でサービス通信を行うことができ、このことにより、ターゲットユーザがソースユーザを識別できず、したがって、ターゲットユーザは、ソースユーザとProse方式でサービス通信を行うことができないという既存の問題を防止できる。
【０１６８】
当業者であれば、説明を簡便にする目的で、上記のユニットおよびシステムの詳細な動作プロセスについては、上記方法実施形態における対応するプロセスを参照できることを明確に理解するはずであり、ここでは細部を説明しない。
【０１６９】
本出願において提供されるいくつかの実施形態においては、開示のシステム、装置、および方法を他のやり方で実装することもできることを理解されたい。例えば、説明された装置実施形態は単なる例示に過ぎない。例えば、ユニットの分割は単なる論理的機能分割に過ぎず、実際の実装に際しては他の分割も可能である。例えば、複数のユニットもしくはコンポーネントが組み合わされ、または統合されて別のシステムになる場合もあり、いくつかの特徴が無視されたり実行されなかったりする場合もある。加えて、表示された、または論じられた相互結合または直接結合または通信接続を、いくつかのインターフェースを使用して実現することもできる。装置間またはユニット間の間接結合または通信接続は、電子的形態、機械的形態、または他の形態として実現することができる。
【０１７０】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の必要に従って選択することもできる。
【０１７１】
加えて、本発明の実施形態における機能ユニットが1つの処理ユニットへ統合される場合もあり、ユニットのそれぞれが物理的に独立して存在する場合もあり、または2つ以上のユニットが1つのユニットへ統合される場合もある。統合ユニットはハードウェアの形態で実現することもでき、ソフトウェア機能ユニットに加えたハードウェアの形態で実現することもできる。
【０１７２】
上記の統合ユニットがソフトウェア機能ユニットの形態で実現される場合、統合ユニットは、コンピュータ可読記憶媒体に記憶することができる。ソフトウェア機能ユニットは記憶媒体に記憶されており、（パーソナルコンピュータ、サーバ、もしくはネットワーク機器などとすることができる）コンピュータデバイスに、本発明の各実施形態で記述されている方法のステップの一部を実行するよう命令するためのいくつかの命令を含む。上記記憶媒体は、USBフラッシュドライブ、取り外し可能ハードディスク、ROM、RAM、磁気ディスク、光ディスクといった、プログラムコードを記憶することができる任意の媒体を含む。
【０１７３】
当業者であれば、各実施形態における各方法の各ステップの全部または一部を関連ハードウェアに命令するプログラムによって実現することができることを理解するはずである。プログラムは、コンピュータ可読記憶媒体に記憶することができる。記憶媒体は、読み出し専用メモリ、ランダムアクセスメモリ、磁気ディスク、または光ディスクを含んでよい。
【０１７４】
最後に、上記実施形態は、本発明を限定するためのものではく、単に本発明の技術的解決策を説明するためのものに過ぎないことに留意されたい。本発明は上記実施形態に関連して詳細に説明されているが、当業者は、本発明の実施形態の技術的解決策の範囲を逸脱することなく、さらに、前述の実施形態に記述されている技術的解決策に改変を加え、あるいは、前述の実施形態の一部の技術的特徴に対する等価の置換を行うことができることを理解するはずである。
【符号の説明】
【０１７５】
30  MCPTT UE
40  MCPTT UE
50  MCPTT UE
60  MCPTT UE
301  送信ユニット
302  受信ユニット
303  取得ユニット
401  取得ユニット
402  送信ユニット
501  通信ユニット
502  プロセッサ
503  メモリ
504  通信バス
601  通信ユニット
602  プロセッサ
603  メモリ
604  通信バス
【図１】
0006573288.tif 000002
【図２】
0006573288.tif 000003
【図３】
0006573288.tif 000004
【図４】
0006573288.tif 000005
【図５】
0006573288.tif 000006
【図６】
0006573288.tif 000007
【図６Ａ】
0006573288.tif 000008
【図７】
0006573288.tif 000009
【図８】
0006573288.tif 000010
【図９】
0006573288.tif 000011